(57)【要約】【課題】容器内の棒状品へのアクセスを容易にするようにした、品物用容器を提供すること、更に、消費者に品物を提示する新規な方法を提供すること等。【解決手段】本発明は、箱（３）及び蓋（２）を備えた、棒状品のための容器（１）に関し、箱（３）は、上部に開口を含む。容器は、蓋に接続されたシート状接続手段（２１、２２、２３）を更に含み、シート状接続手段（２１、２２、２３）は、箱に対して縦方向に摺動可能に配置され、蓋（２）及び接続手段（２１、２２、２３）が下方位置から上方位置まで可動になっている。接続手段（２１、２２、２３）は、蓋を下方位置から上方位置まで移動させたときに少なくとも１本の棒状品を所定距離だけ縦方向に持ち上げるようになっている。【選択図】図４
2015514641.tif 000002
【特許請求の範囲】
【請求項１】
棒状品のための容器であって、
箱と蓋とを含み、前記箱は上部に開口を含み、前記容器は、前記蓋に接続されたシート状接続手段を更に含み、前記シート状接続手段は、前記箱に対して縦方向に摺動可能に配置されており、その結果、前記蓋及び前記接続手段は下方位置から上方位置まで可動であり、前記接続手段は、前記蓋が前記下方位置から前記上方位置まで移動したときに少なくとも１本の棒状品を所定距離だけ縦方向に持ち上げるようになっている
ことを特徴とする容器。
【請求項２】
前記容器が、前記下方位置における前記蓋のピボット回転運動を防ぐようになっていることを特徴とする請求項１に記載の容器。
【請求項３】
前記容器が、前記下方位置においても前記上方位置においても、前記蓋を前記接続手段に対してピボット回転させることにより開放可能であることを特徴とする請求項１に記載の容器。
【請求項４】
前記接続手段が、中央パネルを含み、前記蓋が、前記中央パネルの上側からピボット回転可能にぶら下がるようになっていることを特徴とする請求項１〜請求項３のいずれかに記載の容器。
【請求項５】
前記接続手段の前記中央パネルが、前記箱の後壁の内側に隣接して配置されたことを特徴とする請求項４に記載の容器。
【請求項６】
少なくとも１つの係合フラップが、折曲げ線を介して前記中央パネルからぶら下がり、前記容器内の少なくとも１本の棒状品と係合するようになっていることを特徴とする請求項４〜請求項５のいずれかに記載の容器。
【請求項７】
前記少なくとも１つの係合フラップが、前記中央パネルの下部からぶら下がり、前記係合フラップが、少なくとも１本の棒状品と係合するようになっていることを特徴とする請求項６に記載の容器。
【請求項８】
前記係合フラップが、前記中央パネルの全幅に沿って延びていることを特徴とする請求項６〜請求項７のいずれかに記載の容器。
【請求項９】
前記中央パネルが、側部フラップを更に含み、前記側部フラップが、前記中央パネルの横方向縁部からぶら下がり、前記側部フラップが、前記箱の側壁に少なくとも部分的に平行に延びることを特徴とする請求項４〜請求項８のいずれかに記載の容器。
【請求項１０】
前記側部フラップが、前記少なくとも１つの係合フラップに接続されたことを特徴とする請求項９に記載の容器。
【請求項１１】
前記箱内に内側フレームが配置され、前記接続手段及び前記内側フレームが、前記接続手段のための行止まり停止部が前記内側フレーム上に設けられるようにされたことを特徴とする請求項１〜請求項１０のいずれかに記載の容器。
【請求項１２】
前記箱の後壁が、実質的に長方形の凹所を含み、前記凹所が、前記接続手段と前記蓋とを接続するヒンジ線の幅に実質的に対応する幅を有することを特徴とする請求項１〜請求項１１のいずれかに記載の容器。
【請求項１３】
前記箱が、前記箱の壁の内側に固定された内側フレームを含み、前記内側フレームが、前記実質的に長方形の凹所を提供することを特徴とする請求項１２に記載の容器。
【請求項１４】
係合手段が前記接続手段内に摺動可能に配置され、前記係合手段は、前記接続手段に対して摺動することにより、前記摺動手段の持上げ運動の第一の段階において、少なくとも１本の棒状品に係合し、かつ、静止状態に留まるようになっており、前記係合手段は、更に、前記接続手段の持上げ運動の第二の段階の間に、前記接続手段に係合して該接続手段と共に移動するようになっており、その結果、前記係合手段が前記少なくとも１本の棒状品を持ち上げることを特徴とする請求項１〜請求項１３のいずれかに記載の容器。
【請求項１５】
前パネルが、前記側部フラップの前部からぶら下がり、前記箱の前壁の内側に平行に隣接して延びており、係合手段が、前記前パネル上に設けられたことを特徴とする請求項１〜請求項１４のいずれかに記載の容器。
【発明の詳細な説明】
【技術分野】
【０００１】
本発明は、例えば喫煙用品などの棒状品のための容器に関する。
【背景技術】
【０００２】
例えば、特許文献１は、蓋と容器の箱とが互いに摺動関係になるように、蓋が摺動可能な接続手段に取り付けられた、喫煙用品用の容器を示している。
【０００３】
現在、喫煙用品などの棒状品の包装体は、非常に小型化される傾向にある。特に、紙巻煙草などの喫煙用品は、きっちりと入れ子状の揃え方で詰められている。小型の包装体は、容器内の品物を適切に保護することに役立ち、また必要とされる材料の量を減らす。これは、包装材料の費用対効果の高い使用を可能にする。しかし、一杯に詰まった容器から最初の品物を取り出すのは難しい。
【０００４】
特許文献２から、喫煙用品の一部に係合するための係合部分を有する持上げ手段を備えた、喫煙用品を含む容器を提供することが知られている。
【先行技術文献】
【特許文献】
【０００５】
【特許文献１】国際公開第２００４／０８９７８５号
【特許文献２】国際公開第２０１１／０１２２３５号
【特許文献３】米国特許第４，７１４，０８２号明細書
【特許文献４】米国特許第５，６９２，５２５号明細書
【発明の概要】
【発明が解決しようとする課題】
【０００６】
容器内の棒状品へのアクセスを容易にするようにした、品物用容器を提供することが望ましい。更に、消費者に品物を提示する新規な方法を提供することが望ましい。
【課題を解決するための手段】
【０００７】
本発明によれば、箱と蓋とを含む、棒状品のための容器が提供される。箱は、上部に開口を含む。容器は、蓋に接続されたシート状接続手段を更に含み、該シート状接続手段は、箱に対して縦方向に摺動可能あり、蓋及び接続手段が下方位置から上方位置まで可動になっている。本発明によれば、接続手段は、蓋が下方位置から上方位置まで移動したときに少なくとも１本の棒状品を所定距離だけ縦方向に持ち上げるようになっている。従って、接続手段の運動が、容器の蓋の持上げ運動を可能にし、そしてまた棒状品を同時に持ち上がらせる。
【０００８】
接続手段は、少なくとも１本の棒状品を約０．５ｃｍと約３ｃｍとの間で縦方向に持ち上げるようになっていることが好ましい。接続手段は、少なくとも１本の棒状品を、該棒状品の約５パーセントと約４０パーセントとの間で縦方向に持ち上げるようになっていることが好ましい。少なくとも１本の棒状品をこの距離で縦方向に持ち上げることは、棒状品の係合可能な表面を有利に増大させ、その結果、棒状品を例えばより容易に消費者が掴むことができるようになる。
【０００９】
シート状接続手段は、折曲げ線を介して互いからぶら下がるパネルを含む素材片から形成されることが好ましい。具体的には、接続手段は、完全に容器内に配置される。一実施形態において、接続手段は、下端側で棒状品と係合するようになっている。しかし、他の実施形態において、接続手段は、棒状品の側部又は上端で該棒状品と係合するようにすることもできる。具体的には、接続手段は、棒状品のナップ（ｎａｐｐｅ）内の段差で、例えば喫煙用品のチップペーパーの端部で棒状品と係合するようにされるものとすることができる。
【００１０】
接続手段は、好ましくは、１本、２本、３本、４本、５本、６本、７本又はそれ以上の棒状品、特に喫煙用品と係合するようにされる。具体的には、接続手段は、容器内の一列の棒状品と係合するようにすることができる。少なくとも部分的に持ち上げられた１つ又はそれ以上の棒状品は、消費者にとってアクセスがより容易である。有利には、ひとたび持ち上げられると、より広い、棒状品の係合可能表面が消費者にとってアクセス可能となる。同時に、持ち上げられ１本又はそれ以上の棒状品と、残りの棒状品との間の摩擦力が低減される。
【００１１】
本発明による容器の構成要素の相対的位置を説明するために用いられる「前」、「後」、「上方」、「下方」、「側部」、「上部」、「底部」及びその他の用語は、蓋が上端にある状態で直立した容器を表すものである。「左」及び「右」という用語は、容器をその直立位置で前方から見たときの容器の左側壁及び右側壁を表して用いられる。直立位置の容器が開けられたとき、箱の中に収められた消費者物品は、容易の上端から取り出すことができる。「縦方向」という用語は、底部から上部の方向又はその逆、即ち直立した向きの容器の高さを定める垂直方向を意味する。「横方向」という用語は、縦方向と直交し、かつ、前壁又は後壁を横切る方向、即ち直立した向きの容器の幅を定める水平方向、又は、縦方向と直交し、かつ、左側壁又は右側壁の一方を横切る方向、即ち、直立した向きの容器の奥行きを定める水平方向を意味する。
【００１２】
「ヒンジ線」という用語は、容器を開くために、蓋がその回りにピボット回転する線を意味する。ヒンジ線は、例えば、容器の接続手段又は蓋における折曲げ線又は切込み線とすることができる。代替的に、ヒンジ線は、蓋の下端と接続手段の上端との橋渡しをする材料片における折曲げ線又は切込み線とすることができる。このような材料片は、例えば、蓋の後壁及び接続手段に永久的に又は取外し可能に取り付けられたラベルとすることができる。ヒンジ線は、容器の後壁に沿って配置されることが好ましい。
【００１３】
容器の箱及び蓋は、各々幾つかのパネルを含む折り曲げられた素材片で形成されるものとすることができる。蓋及び接続手段を１つの素材片から形成することもでき、蓋を接続手段に取り付けることもできる。具体的には、蓋は、蓋と接続手段の両方に取り付けられて接続手段と蓋との間にヒンジ線を形成する接着剤被覆ストリップによって、接続手段に接続することができる。代替的に、接続手段は、接続手段の中央パネルからピボット回転可能にぶら下がる蓋固定パネルを含み、この場合、蓋は蓋固定パネルに取り付けられる。取付けは、接着剤によって行うことができる。
【００１４】
一実施形態において、容器は、蓋が下方位置にある場合には蓋のピボット回転運動を防ぐようになっている。
従って、この実施形態においては、容器を開けるために、消費者は、蓋をピボット回転させて開位置にする前にまず蓋を持ち上げる必要があり、その結果、消費者が蓋をピボット回転させて開けたときには少なくとも１本の棒状品が既に持ち上がっていることになる。具体的には、下方位置において、閉じている蓋は箱と係合しており、該蓋はピボット回転できないようになっており、一方第二の位置において、容器は、蓋を接続部分に対してピボット回転させることにより開くことができるようになる。この目的で、蓋は下方位置において、箱に取り付けられて下方位置で蓋に達する内側フレームと係合することができる。
【００１５】
棒状品が蓋と一緒に自動的に持ち上げられると、蓋は持上げプロセスの間は棒状品を覆っていることができ、持上げ位置で蓋が開けられたときには棒状品、特に喫煙用品は既に持ち上げられているので、消費者にとって驚くべき効果を得ることができる。
【００１６】
別の実施形態において、容器は、蓋の下方位置でも上方位置でも、蓋を接続手段に対してピボット回転させることにより開けることができるようになっている。従って、消費者は、最初に蓋をピボット回転させることにより蓋を開けるか、又は最初に蓋を縦方向に上に摺動させることにより蓋を開けるかを選択することができる。消費者は、容器の蓋を、摺動機能を用いることなく単にヒンジで開けることができる。この設計は、消費者が少なくとも１本の棒状品を接続手段で持ち上げることを望んでいるのか、又は、蓋がピボット回転で開けられたときに棒状品を掴むことを望んでいるだけなのか、選択の余地を消費者に与える。
【００１７】
一実施形態において、接続手段は、中央パネルを含み、蓋は該中央パネルの上側からピボット回転可能にぶら下がるようになっている。中央パネルは少なくとも１つの区画を有し、この区画の幅は箱の内側の幅に実質的一致する。蓋は、折曲げ線を介して中央パネルからぶら下がる蓋固定パネルに固定されるものとすることができる。具体的には、蓋は、接着剤で蓋固定パネルに固定することができる。代替的に、接続手段及び蓋は、１つの素材片から形成することができ、ヒンジ線を形成する折曲げ線を介して互いからぶら下がるものとすることができる。
【００１８】
接続手段の中央パネルは、箱の後壁の内側に隣接して平行に配置されることが好ましい。従って、中央パネルは、わずかな空間しか必要とすることなく配置することができる。更に、後壁は、中央パネルの動きの案内を補助することができる。
【００１９】
一実施形態において、少なくとも１つの係合フラップが、折曲げ線を介して中央パネルからぶら下がり、容器内で少なくとも１本の棒状品と係合するようになっている。係合フラップが棒状品のナップと係合する場合には、該係合フラップは、中央パネルの縦方向の範囲に対して種々の位置に配置されるものとすることができる。
【００２０】
少なくとも１つの係合フラップは、中央パネルの下側からぶら下がり、該係合フラップは、少なくとも１本の棒状品の下端側と係合するようになっていることが好ましい。中央パネルの下側の係合フラップは、箱の底壁に隣接するように設けることができるので、箱の底壁の隣の棒状品の最下端と係合することができる。これにより、確実な係合がもたらされ、そして少なくとも１本の棒状品の持上げを容易にすることができる。
【００２１】
一実施形態において、係合フラップは、中央パネルの全幅に沿って延びる。具体的には、中央パネルは少なくとも下部を有し、ここで中央パネルの下部は実質的に箱の幅を有する。従って、係合フラップに隣接する一列全部の棒状品が係合フラップと係合してこれにより持ち上げられるものとすることができる。代替的に、係合フラップは、該係合フラップに隣接する棒状品の列の一部のみにわたって延びるものとすることができ、その結果、係合フラップに隣接する列の中の１本又は数本の棒状品だけが持ち上げられることになる。代替的に又は付加的に、係合フラップは、更に箱の内側へと延びることができ、係合フラップに直接隣接していない棒状品もまた持ち上げることができるようになっている。例えば、３列の棒状品を収めた容器において、係合フラップは、後方の列、即ち係合フラップに隣接する棒状品の列から３本の棒状品、中間列から２本の棒状品及び第一の列から１本の棒状品を持ち上げるようにすることができる。もちろん、他の多くの配置を実現することができる。
【００２２】
一実施形態において、側部フラップが中央パネルの横方向縁部からぶら下がっており、該側部フラップは、箱の側壁に少なくとも部分的に平行に延びている。この中央パネルの横方向縁部は、通常、箱のそれぞれの側壁の最も近くに配置された、中央パネルの縁部である。側部フラップは、箱の左側壁又は右側壁に少なくとも部分的に隣接し、かつ、平行して延びていることが好ましい。更に、側部フラップは、中央パネルの両側に配置することができ、従って、箱の左側壁及び右側壁の両方に少なくとも部分的に平行して延びるものとすることができる。具体的には、側部フラップは、案内パネルと箱の壁との間に形成されたスリット内で案内されるものとすることができる。この案内パネルは、具体的には、箱内に配置された内側フレームによって設けることができる。具体的には、スリットは、内側フレームにより設けられた内側側壁の縁部と、箱の後壁との間に形成することができる。
【００２３】
一実施形態において、側部フラップは、少なくとも１つの係合フラップに接続する。従って、係合フラップを、該係合フラップが棒状品に対して十分な持上げ力を及ぼすことができるように、更に安定化することができる。係合フラップは、実質的に水平に延びることが好ましい。
【００２４】
具体的には、側部フラップは接着剤によって係合フラップに接続することができる。側部フラップと係合フラップとの間の接続は、接続タブを介するものとすることができる。係合フラップからぶら下がった接続タブが側部タブに接続するものとすることも、又は側部フラップからぶら下がった接続タブが係合フラップに接続するものとすることもできる。これらの接続は、接着剤によって行うことができる。接続タブは、折曲げ線を介して係合フラップから若しくは側部フラップからぶら下がるか、又は両方からぶら下がるものとすることができる。側部フラップと係合フラップとの間の接続は、付加的な安定化をもたらす。具体的には、両方の側部フラップを１つの係合部分に接続することができる。このタイプの係合部分は、中央パネルの下縁部の全幅にわたって延びることが好ましい。
【００２５】
幾つかの実施形態において、中央パネルには、高摩擦部分が設けられる。例えば、高摩擦部分は、粘着力の低い接着剤、エンボス加工又はフェルト状構造によって設けることができる。この高摩擦部分は、持ち上げられる棒状品と接続手段との間の摩擦を高めることができる。これは、有利には、１本又はそれ以上の棒状品を持ち上げるのに必要な力を中央パネルと係合フラップとの間で分割することができる。更に、高摩擦部分における中央パネルと１本又はそれ以上の棒状品との間の高められた摩擦は、接続手段の移動方向には依存しないので、高摩擦部分は、持ち上げられた棒状品を取り出す必要がないときにそれを箱の中に戻すよう動かすために利用することができる。高摩擦部分と棒状品との間の高められた摩擦は、持ち上げられた棒状品又は品物を取り出すために必要な総計の力をわずかに高めることがある。とはいえ、この必要な追加の力には、棒状品が箱の開口を少なくとも部分的に通って持ち上げられたときに露出する係合可能な表面が増えることによって容易に打ち勝つことができる。
【００２６】
幾つかの実施形態において、内側フレームが箱の中に配置され、接続手段及び内側フレームは、接続手段のための行止まり停止部が内側フレームによって設けられるようになっている。最大持上げ高さは、約３０ｍｍまでであることが好ましい。行止まり停止部は、側部フラップを案内する内側フレーム内の所定の長さのスリットによって定められるものとすることができる。代替的に、接続手段が、箱の突起部と係合する突起部を有することができる。これらの突起部は、具体的には、パネルのフラップによって設けることができ、これらは、互いに係合するように折り曲げられるか、又は箱の壁若しくは接続手段に糊付けされて段差を形成する。行止まり停止部は、側壁及び後壁を含む内側フレームによって設けることができ、このとき、接続手段の側部フラップは、内側フレームの側壁と箱の後壁との間で、内側フレームの後壁と係合するようになるまで案内される。
【００２７】
一実施形態において、箱の後壁は、接続手段と蓋とを接続するヒンジ線の幅を有する実質的に長方形の凹所を含む。これは、接続手段の案内を容易にする。
代替的に又は付加的に、箱の内側フレームが凹所を提供することもできる。この実施形態において、内側フレームは、具体的には箱の壁の内側に固定される。凹所は、互いに距離を置いて後壁の対向する両側に設けられた、内側フレームの２つのパネル間に形成されるものとすることができる。
【００２８】
内側フレームは、箱の内側に設けられ、外側箱壁の上縁部の上方に突き出されることが好ましい。従って、内側フレームは、残りの外側箱壁よりも箱の内側に向かって配置される。蓋は、蓋の壁が外側箱壁に対して位置合わせされるように内側フレーム上に配置することができる。蓋の下縁部は、容器の少なくとも一区画に沿って、例えば、左壁、右壁、後壁又は前壁のパネルのそれぞれに沿って、箱外壁の上縁部に接することが好ましい。一実施形態において、全ての縦方向の蓋壁は同じ高さを有する。代替的に又は付加的に、全ての縦方向の箱壁は、同じ高さを有することができる。従って、容器は、該容器全体の回りに同じ高さで通る単一線の接合部を有することが可能である。
【００２９】
代替的に又は付加的に、１つ又はそれ以上の切り抜きを蓋壁又は箱壁のいずれかの縁部に設けて、蓋がその下方位置にあるときでもその切り抜きを通して内側フレームが見えるようにすることができる。従って、内側フレーム上の印刷などのような付加的な設計要素を消費者から見えるようにすることができる。
【００３０】
一実施形態において、係合手段は、接続手段内に縦方向に摺動可能に配置され、この場合、係合手段は、接続手段に対して摺動することにより、接続手段の持上げ運動の第一段階において、少なくとも１本の棒状品と係合し、かつ、静止状態に留まるようになっており、係合手段は更に、接続手段の持上げ運動の第二段階の間に、少なくとも１本の棒状品を持ち上げるために、接続手段と係合して該接続手段と共に移動するようになっている。従って、係合手段は、接続手段に対するその摺動運動の終わりに行止まり停止部に接触した後にのみ、少なくとも１本の棒状品の持上げを開始する。具体的には、係合手段は、接続手段の持上げ運動の第一段階の間は実施的に静止状態に留まる。係合手段が、接続手段の上方向への持上げ運動の半分にわたって静止状態に留まるならば、それぞれの棒状品は、接続手段の運動に対して道のりの半分だけ持ち上げられることになる。従って、具体的には異なる最大縦方向摺動差を有する幾つかの係合手段を設けることにより、接続手段の定められた持上げ高さに対して、幾つかの棒状品に対して異なる持上げ高さを得ることができる。
【００３１】
さらなる実施形態において、接続手段の特定の移動距離後に接続手段によって係合されるようにした付加的な摺動手段を設けることができ、この、さらなる付加的な摺動手段は、少なくとも幾つかの棒状品を持ち上げる係合手段を提供する。具体的には、接続手段の側部フラップが、付加的な摺動手段に係合することができる。
【００３２】
一実施形態において、係合手段、具体的には係合フラップは、側部フラップからぶら下がる。これは、容器の側部の棒状品も同様に持ち上げることができることを規定する。この係合手段は、中央パネルに接続していない分離した係合フラップに関連するものとすることができる。更に、係合フラップは、２つの側部フラップを接続することができ、その結果、容器箱内の棒状品の列全体を、例えば中間列又は前列を持ち上げるようにすることができる。
【００３３】
一実施形態において、前パネルが、側部フラップの前方からぶら下がり、箱の前壁の内側に平行に隣接して延びており、係合手段は、前パネル上に設けられる。従って、棒状品の前列又は前列の少なくとも幾つかの棒状品が、係合手段によって係合されて持ち上げられるものとすることができる。係合手段は、摺動可能に配置された係合手段に関する実施形態で定義されたのと同様の方式で前パネル内にて摺動可能とすることもできる。従って、異なる持ち上げ高さを得ることができる。係合手段は、具体的には、折曲げ線を介して前パネルの下側からぶら下がる係合フラップとすることができる。
【００３４】
具体的には、棒状品は、棒状品を容器内に詰めることを容易にする内側ライナーで包むことができ、このとき棒状品は棒状品の束として提供される。棒状品は、例えば紙巻煙草などの喫煙用品であることが好ましい。具体的には、内側ライナーは、アルミニウム箔、金属被覆された紙又はその他のシート状の折曲げ可能な材料で作られたものとすることができる。一実施形態において、接続手段は、少なくとも部分的に内側ライナー内に、即ち、内側ライナーと棒状品との間に設けることができる。しかし、殆どの実施形態において、接続手段は、箱と内側ライナーとの間に配置することができる。持上げ機能を有効にするために、具体的には、個別の棒状品同士の互いに相対的な縦方向の動きを有効にするために、内側ライナーには、切断線又は破断線、例えば切込み線又は部分的に切り目を入れた線を設けることができる。具体的には、切断線又は破断線は、係合手段又は係合フラップの縁部の回りに設けられる。従って、持ち上げられない他の棒状品と一緒に内側ライナー内に含まれている少なくとも１本の棒状品を持ち上げることが可能である。
【００３５】
内側フレームは、箱内部に取り付けられ、内側フレームは容器の箱の少なくとも前壁の上縁部の上方に延びることが好ましい。従って、内側フレームは、蓋を開けたときに消費者の目に触れる。内側フレームの前壁に、箱の前壁上に印刷された記号と同じかまたは異なるものとすることができる記号を印刷することができる。代替的に又は付加的に、内側フレームの前壁を、例えば棒状品の銘柄を反映した特徴的な形状に切ることができる。必要であれば、内側フレームは、容器を平らに潰すことを容易にする破断線を含むことができる。
【００３６】
内側フレームの前壁には、内側フレームの上縁部に切り欠き部分を設けることが好ましい。これにより、内側フレームの前壁の表面積を大幅に減らすことなく、容器内の棒状品により簡便にアクセスすることが可能になる。
【００３７】
内側フレームに対して代替的に又は付加的に、容器内の棒状品を内側ライナーで包むことができ、この内側ライナーは、容器を開けたときに箱の前壁及び内側ライナーの前壁（存在する場合）の上縁部の上方で、目で見ることができる。
【００３８】
本発明による容器は、直角な縦方向縁部と直角な横方向縁部とを有する長方形の平行六面体形状とすることができる。代替的に、容器は、１又はそれ以上の丸みをもった縦方向縁部、丸みをもった横方向縁部、斜形状の縦方向縁部、又は斜形状の横方向縁部、又はこれらの組合せを備えるものとしてもよい。斜形状の縁部に関して、斜形状縁部は、２つの平行な折曲げ線から、又は２つの非平行な折曲げ線から形成されるものとすることができる。例えば、２つの非平行な折曲げ線は、レンズ形状の斜形状部分が作り出されるような、凸状及び凹状の折曲げ線とすることができる。代替的に、２つの非平行な折曲げ線をサイン波形として、それら２つの非平行な折曲げ線によってＳ形状の斜形状部分が作り出されるようにすることができる。代替的に、２つの非平行な折曲げ線は、三角形又は菱形の斜形状部分を形成することができる。誤解の無いように述べると、斜形状縁部は、縁部に沿って斜形状部分と斜形状ではない部分との組合せを含むことができる。
【００３９】
本発明による容器は、限定する意味ではないが、例えば、
−前壁に１つ又は２つの丸みを持った又は斜形状の縦方向縁部を備え、及び／又は、
−後壁に１つ又は２つの丸みをもった又は斜形状の縦方向縁部を備える。
−前壁に１つ又は２つの丸みをもった又は斜形状の横方向縁部を備え、及び／又は、
−後壁に１つ又は２つの丸みをもった又は斜形状の横方向縁部を備える。
−前壁に１つの丸みをもった縦方向縁部と１つの斜形状の縦方向縁部を備え、及び／又は、
−後壁に１つの丸みをもった横方向縁部と１つの斜形状の横方向縁部を備える。
−前壁に１つ又は２つの丸みをもった又は斜形状の横方向縁部を備え、前壁に１つ又は２つの丸みをもった又は斜形状の縦方向縁部を備える。
−第一の側壁に１つの丸みをもった或いは斜形状の縦方向縁部を備え、又は第二の側壁に１つの丸みをもった又は斜形状の横方向縁部を備える。
ものとすることができる。
【００４０】
容器が１又はそれ以上の丸みをもった縁部を備え、薄層状の素材片から作られている場合、素材片は、組み立てられた容器内に丸みをもった縁部が形成されるように３本、４本、５本、６本、又は７本の切込み線又は折り目線を備えることが好ましい。切込み線又は折り目線は、容器の内側上又は容器の外側上のいずれかにあるものとすることができる。切込み線又は折り目線は、互いに約０．３ｍｍと４ｍｍとの間だけ離間することが好ましい。
【００４１】
折り目線又は切込み線の間隔は、薄層状の素材片によって決まるものであることが好ましい。折り目線又は切込み線の間の間隔は、薄層状の素材片の厚さの約０．５倍と約４倍との間であることが好ましい。
【００４２】
容器が、１又はそれ以上の斜形状の縁部を備える場合には、この１又はそれ以上の斜形状の縁部は約１ｍｍと約１０ｍｍとの間の幅を有することが好ましく、約２ｍｍと約６ｍｍとの間であることがより好ましい。代替的に、容器は、容器端に２つの明瞭な斜形状部分が形成されるように互いに離間して位置する３つの平行な折り目線又は切込み線によって形成される、二重斜形状部分を含むことができる。
【００４３】
長方形の横断面を有する容器の代わりに、容器は、例えば、三角形、四角形若しくは六角形のような多角形の断面、又は楕円形、半楕円形、円形若しくは半円形の断面を有するものとすることができる。
【００４４】
容器が、斜形状の縁部を含み、薄層状の素材片から作られる場合、斜形状部分は、２本の平行な折り目線又は切込み線によって形成することができる。折り目線又は切込み線は、第一の壁と第二の壁との間の縁部に対して対称に配置することができる。代替的に、折り目線又は切込み線を第一の壁と第二の壁との間の縁部に対して非対称に配置して、斜形状部分が容器の第二の壁の中よりも容器の第一の壁の中により延びるようにすることができる。
【００４５】
容器は、適していればどのような材料からも形成することができ、これらの材料には、厚紙、板紙、プラスチック、金属、又はこれらの組合せが含まれるが、これらに限定されるものではない。厚紙の重量は、約１００ｇ／ｍ2から３５０ｇ／ｍ2の間であることが好ましい。
【００４６】
本発明による容器は、種々の棒状品のための包装体として用いることができる。特に好ましい実施形態において、本発明による容器は、喫煙用品の包装体として用いられる。本発明による容器は、既知の端に点火する紙巻煙草、葉巻又はシガリロ、可燃性の燃料要素又は熱源とエーロゾル発生物質とを含む加熱喫煙用品（例えば、特許文献３に開示された形式の紙巻煙草）及び電気式喫煙システム（例えば、特許文献４に開示された形式の紙巻煙草）を含むがこれらに限定されるものではない喫煙用品を包装するために有利に用いることができる。
【００４７】
本発明による容器は、その寸法の適切な選択により、異なる総数の喫煙用品、又は異なる配列の喫煙用品を保持できるように設計することができる。例えば、本発明による容器は、その寸法の適切な選択により、総数が１０本から３０本の間の喫煙用品を保持するように設計することができる。
【００４８】
本発明による容器は、１つ、２つ、３つ、４つ又は５つの区分された棒状品の束を保持することができる。区分された束は、前壁及び後壁に対して実質的に平行に、又は前壁及び後壁に対して実質的に直交するように、配置することができる。
【００４９】
束の中で、喫煙用品は、該喫煙用品の総数、該喫煙用品の寸法又は容器の断面形状に応じて、異なる揃え方に配列することができる。例えば、喫煙用品は、束の中で、５本、６本、７本、８本、９本又は１０本からなる単一の列に配列することができる。代替的に、喫煙用品は、二列又はそれより多い列に配列してもよい。これらの二列又はそれより多い列は、同じ数の喫煙用品を含むものとすることができる。例えば、喫煙用品は、５本、６本、７本、８本、９本又は１０本からなる二列、５本、６本、７本、８本、９本又は１０本からなる三列、或いは４本、５本、６本又は７本からなる四列に配置することができる。代替的に、二列又はそれより多い列において、少なくとも二列が互いに違う数の喫煙用品を含むようにしてもよい。例えば、喫煙用品は、５本の列と６本の列（５−６）、６本の列と７本の列（６−７）、７本の列と８本の列（７−８）、中央が５本の列であり、その両側が６本の列（６−５−６）、中央が５本の列で、両側が７本の列（７−５−７）、中央が６本の列で両側が５本の列（５−６−５）、中央が６本の列で両側が７本の列（７−６−７）、中央が７本の列で両側が６本の列（６−７−６）、中央が９本の列で両側が８本の列（８−９−８）、又は中央が６本の列で、その一方側が５本、反対側が７本の列（５−６−７）に配列することができる。
【００５０】
本発明による容器は、同じ形式又は同じ銘柄の喫煙用品、又は異なる形式又は異なる銘柄の喫煙用品を保持することができる。更に、フィルターレスの喫煙用品と種々のフィルターチップ付き喫煙用品、並びに、異なる長さ（例えば約４０ｍｍと約１８０ｍｍの間）、異なる直径（例えば約４ｍｍと９ｍｍの間）の喫煙用品を収納するようにしてもよい。更に、喫煙用品は、味の強さ、吸引抵抗、微粒子物質放出総量の異なるものでもよい。容器が１以上の束を含む場合には、同じ容器内の各束は、上記のような、同じ形式又は異なる形式の喫煙用品を保持するものとすることができる。
【００５１】
容器寸法は、喫煙用品の長さ及び喫煙用品の配列に適合するものとされることが好ましい。典型的には、容器の外形寸法は、容器内に収納される喫煙用品の束の寸法より約０．５ｍｍから約５ｍｍの間の寸法だけ大きいものとする。
【００５２】
本発明による容器は、高さを容器の上壁から底壁までとして測定した場合において、高さが、約６０ｍｍから約１５０ｍｍまでの間であることが好ましく、約７０ｍｍから約１２５ｍｍまでの間であることが更に好ましい。
【００５３】
本発明による容器は、幅を容器の第一の側壁から第二の側壁までとして測定した場合において、幅が約１２ｍｍから約１５０ｍｍまでの間であることが好ましく、約７０ｍｍから約１２５ｍｍの間であることが更に好ましい。
【００５４】
本発明による容器は、奥行きを容器の前壁から後壁（箱と蓋の間のヒンジを含む）までとして測定した場合において、奥行きが約６ｍｍから約１００ｍｍまでの間であることが好ましく、約１２ｍｍから約２５ｍｍまでの間であることが更に好ましい。
【００５５】
容器の奥行きに対する容器の高さの割合は、約０．３：１から約１０：１までの間であることが好ましく、より好ましくは、約２：１から約８：１までの間、最も好ましくは約３：１から５：１までの間である。
【００５６】
容器の奥行きに対する容器の幅の割合は、約０．３：１から約１０：１までの間が好ましく、約２：１から約８：１までの間がより好ましく、約２：１から３：１までの間が最も好ましい。
【００５７】
箱の後壁高さに対する蓋の後壁高さの割合は、約０：１（ヒンジが容器の上端に配置される）から約１：１までの間が好ましく、約１：５から約１：１０までの間がより好ましく、約１：６から約１：８までの間が最も好ましい。
【００５８】
箱の前壁高さに対する蓋の前壁高さの割合は、約１：０（蓋が前壁全体を覆う）から約１：１０までの間が好ましく、約１：１から約１：５までの間がより好ましく、約１：２から１：３までの間が最も好ましい。
【００５９】
本発明による容器の外面には、製造業者又は銘柄ロゴ、商標、スローガンその他消費者情報又は記号を、印刷、エンボス、デボスその他の方法で装飾表示することができる。代替的に、又は付加的に、本発明による容器の外面は、ラッカー、金属被覆、ホログラム、発光材料、又は容器の風合い、香り若しくは外観を変化させる他のいずれかの材料で少なくとも部分的に覆うことができる。
【００６０】
本発明による容器の内側ハウジングが１又はそれ以上の束の喫煙用品を収容する場合には、喫煙用品は、例えば金属箔又は金属被覆紙の内側ライナーで包まれることが好ましい。
【００６１】
容器が喫煙用品を収納するものである場合には、容器は、更に廃棄物区画（例えば灰又は吸殻のためのもの）又は、例えばマッチ、ライター、消火手段、口臭清新剤又は電子器具といった他の棒状品を含むことができる。他の棒状品は、容器の外側に取り付けてもよく、喫煙用品と共に、容器の別の区画の中に収納してもよく、またこれらを組み合わせてもよい。
【００６２】
本発明による容器は、装填された状態で、例えば高密度又は低密度のポリエチレン、ポリプロピレン、配向性ポリプロピレン、ポリ塩化ビニル、セルロースフィルム、又は、それらの組み合わせからなる透明重合体フィルムにより、通常の手法で、収縮包装その他により外包装することができる。本発明による容器が外包装される場合には、外包装材は、引裂きテープを含むことができる。引裂きテープは、蓋の前壁の下縁部の下方で容器の回りに配置され、引裂きテープがひとたび取り去られると、蓋が自由に持ち上げられるか又は幾つかの実施形態においてはヒンジ線の回りでピボット回転されるようになることが好ましい。代替的に、引裂きテープは、容器の回りに縦方向に設けることができる。
ここで本発明は、以下の図面に示される例示的な実施形態により更に説明される。
【図面の簡単な説明】
【００６３】
【図１】本発明の実施形態による閉じられた容器を示す。
【図２】本発明の実施形態による蓋が持ち上げられた容器を示す。
【図３】蓋が持ち上げられてピボット回転で開けられ、１本の喫煙用品が持ち上げられた容器を示す。
【図４】本発明の実施形態による容器の断面図を示す。
【図５】本発明の実施形態による容器のための接続手段の素材片を示す。
【図６】本発明の実施形態による容器のための内側フレームの素材片を示す。
【発明を実施するための形態】
【００６４】
図１において、本発明の実施形態による容器１は、斜視図で示されている。容器１は、箱３の上に配置された蓋２を含む。容器１の外観は、標準的な紙巻煙草用包装体と同じか又は類似したものとすることができる。しかし、蓋２は、図１に示すような第一の最下位置から図２に示すような第二の持上げ位置まで摺動方向１００で縦方向に摺動することができる。箱３は、内側フレーム４を含み、これは箱３の外壁の内側に配置され、箱の外壁のそれ以外の部分から縦方向に突き出している。具体的には、内側フレーム４は箱３のそれ以外の部分とは別個の素材片から形成される。内側フレーム４は、箱の外壁の内側に対して接着剤で固定されることが好ましい。
【００６５】
容器の箱３は、前壁５、左側壁、右側壁６、後壁７及び底壁８を含む。蓋２は、蓋前壁９、蓋右側壁１０、蓋左側壁、蓋上壁１１及び蓋後壁１２を含む。内側フレーム４は、前壁１３、右側壁１４、右後壁１５、左側壁１６及び左後壁１７を含む（図６もまた参照のこと）。右後壁１５及び左後壁１７は、右後壁１５と左後壁１７との間に内側フレーム４の上側から箱３の外側後壁７まで延びる凹所が設けられるような距離をおいて、互いに配置される。右後壁１５及び左後壁１７は、内側フレーム４の右側壁１４及び左側壁１６の上部に設けられ、内側フレーム４の右側壁１４及び左側壁１６よりも縦方向に短い。内側フレーム４は、内側フレーム前壁１３から折曲げられるようにぶら下がる、箱３の底壁８に隣接して平行に配置される底壁を更に含むことができる。
【００６６】
内側フレーム前壁１３は、箱前壁５に隣接してその内側に配置され、接着剤によってそこに固定される。同様に、内側フレーム右側壁１４は、箱右側壁６の内側に隣接して配置され、内側フレーム左側壁１６は、箱内側の左側壁に隣接して配置される。右後壁１５及び左後壁１７は、両方とも箱後壁７の内側に隣接して配置される。従って、箱の素材片の厚さである高さを有する小さい段差が、外側箱壁５、６、７の上縁部に設けられる。蓋２は箱３と実質的に同じ幅及び奥行きを有するので、面一の外壁を備えた容器１を設けることができる。
【００６７】
図１及び図２に示すような２つの異なる蓋位置で分かるように、蓋２は、箱３の内側フレーム４に対して摺動可能である。蓋２は、図２に示すような第二の持上げ位置にあるとき、箱３に対してピボット回転可能である。具体的には、ヒンジ線１８が、箱後壁１２の下端付近に設けられる。
【００６８】
蓋２は、蓋が第一の最下位置にあるときには、蓋２の中に内側フレーム４が配置されているのでヒンジ線８の回りでピボット回転することができない。内側フレーム４は、蓋２が第二の持上げ位置にあるときには蓋２の中に延びている長さがより少ないので、蓋２のピボット回転が可能になる。従って、蓋２がヒンジで後方に倒されると、容器は、図３に示すように開いた状態になる。従って、容器の上部で、喫煙用品の形態の棒状品１９にアクセス可能になる。
【００６９】
本発明によれば、蓋２の持上げ運動は、少なくとも１本の棒状品１９の持上げ運動をもたらし、従って該少なくとも１本の棒状品は、１本の棒状品１９が喫煙用品の形態である図３に示される場合のように、他の棒状品に対して持ち上げられることになる。
【００７０】
ここで、持上げ機能を、右側から見た容器１の中央断面図を示す図４に関して更に説明する。容器は、箱前壁５と箱後壁７との間に配置された、縦方向に延びる喫煙用品の形態の棒状品１９、即ち紙巻煙草を封入する。更に、接続手段２０が少なくとも部分的に箱３の中に配置される。接続手段２０は、箱３に対して縦方向に摺動可能である。接続手段２０は、その上端に蓋固定パネル２１を含み、その上に蓋２が好ましくは接着剤で固定される。蓋固定パネル２１の下にヒンジ線１８が設けられ、これは折曲げ線であることが好ましい。
【００７１】
本実施形態において、接続手段２０は図５に示すように別個の素地片から形成され、その後、蓋２に固定される。しかし、他の実施形態において、接続手段２０及び蓋２を１つの素地片から形成することができる。
一般に、箱３及び蓋２は、幾つかのパネルを含む素地片から、それぞれのパネルを折曲げ線に沿って折り曲げてそれらを接着剤で固定することにより形成される。
【００７２】
蓋固定パネル２１は、概ね箱３の後壁７に隣接して平行に延びる接続手段２０の中央パネル２２からヒンジ線１８を介してぶら下がる。中央パネル２２の下端に係合フラップ２３が設けられる。係合フラップ２３は、実質的に水平方向に延びており、持上げ機能によって持ち上げられることになる少なくとも１本の棒状品１９の下端の下方に配置される。具体的には、係合フラップ２３は、中央パネル２２から折曲げ線２４を介してぶら下がる。従って、蓋２が持上げ方向１００に持ち上げられたとき、接続手段２０が蓋２と共に移動して、図４に示すように喫煙用品の形態の少なくとも１本の棒状品１９を持ち上げる。従って、喫煙用品は、図３に示すように持上げ位置に持ち上げられることになる。
【００７３】
蓋２のヒンジ線１８は、接続手段２０と蓋２とが接続されるように、内側フレーム４の後壁間に設けられた凹所の領域に配置される。従って、接続手段２０と蓋２との間の接続は、内側フレーム４の後壁１５と１７との間のこの凹所を通って延びる。具体的には、ヒンジ線１８及び凹所を通って延びる蓋固定パネル２１のそれぞれの部分の幅を凹所の幅と実質的に同じにして、凹所が接続手段２０の案内をもたらすようにすることができる。
【００７４】
図５において、接続手段２０を形成するための素材片が平面図で示される。接続手段２０は、中央パネル２２を含み、蓋固定パネル２１は、折曲げ線１８を介してこの中央パネルの上部からぶら下がる。蓋固定パネル２１は、蓋の中に挿入するプロセスを容易にするためにテーパ付けされた縁部を含むものとすることができる。
【００７５】
更に、係合フラップ２３が、折曲げ線２４を介して中央パネル２２からからぶら下がる。図３に示す実施形態とは対照的に、係合フラップ２３は中央パネル２２の全幅にわたって延びている。従って、１本の棒状品のみならず、喫煙用品の形態の棒状品の列全体、即ち箱３の後壁７に隣接した棒状品の列が、このような接続手段２０によって持ち上げられることになる。
【００７６】
接続手段２０の縦方向１００の摺動運動を更に案内するため、及び、行止まり停止部を設けるために、右側部フラップ２５及び左側部フラップ２６が設けられる。側部フラップは、中央パネル２２の下側端に配置され、中央パネル２２から折曲げ線２７、２８を介してぶら下がる。折曲げ線２７、２８は、実質的に縦方向に延びる。折曲げ線２７、２８は、中央パネル２２の側縁部よりも、幅方向で更に外側に配置される。
【００７７】
側部フラップ２５、２６の両方の下端から、接続タブ２９、３０が折曲げ線３１、３２を介してぶら下がる。接続タブ２９、３０は、係合フラップ２３に隣接しているが、切断線３３、３４により該係合フラップから分離している。
【００７８】
両側部フラップ２５、２６及び係合フラップ２３の両方が、それぞれの折曲げ線２４、２７、２８の回りで前方に向かって折り曲げられ、その結果、係合フラップ２３と両側部フラップ２５、２６とが実質的に中央パネル２２と直交するように配置される。接続タブ２９、３０は、係合フラップ２３に平行して延びて隣接するように折り曲げられ、該係合フラップに接着剤で接続される。従って、係合フラップ２３と側部フラップ２５、２６とがこの配置で固定される。係合フラップ２３は、それぞれの棒状品１９に対して十分な持上げ力を与えることができる。
【００７９】
他の実施形態において、中央パネル２２から距離を置いた係合フラップ又は係合手段を設けて、容器内の中間列又は前列の棒状品、即ち喫煙用品が持ち上げられるようにすることもまた可能である。具体的には、これらの係合手段は、側部フラップ２５、２６から折り曲げられるようにぶら下がる係合フラップとすることができる。
【００８０】
側部フラップ２５、２６は、箱側壁６と、内側フレーム４の側壁１４、１６との間に配置される。接続手段２０の第二の持上げ位置において、側部フラップ２５、２６が内側フレーム４のフラップ１５、１７の後壁７と接触して、行止まり停止部が設けられるようになっている。
【００８１】
図６において、内側フレーム４を形成するための素材片が平面図で示される。素材片は、互いに縦方向の折曲げ線からぶら下がる、前壁１３、右側壁１４、右後壁１５、左側壁１６、及び左後壁１７を含む。内側フレーム４は、箱３の底壁８に隣接して配置され該底壁に接続されるようになった底パネルを更に含むことができ、その結果、接続手段２０が行止まり停止部に係合したときに内側フレーム４が引きちぎられて箱３から出ないようになっている。具体的には、内側フレーム４の後壁１５、１７はその側壁１４、１６より短い。側壁１４、１６は、具体的には、箱３の底壁８まで延びている。好ましくは、内側フレーム４の前壁９もまた、箱３の底壁８に向かって延びており、なぜならこれは、内側フレーム４の側壁１４の接続手段２０であり、従って側壁１４、１６に安定性をもたらすからである。側部フラップ２５、２６が内側フレーム４の側壁１４、１６と箱３の側壁６との間を移動することができるように、内側フレーム４の側壁１４と箱３の側壁６との間には糊が施されないことが好ましい。行止まり停止部として内側フレーム後壁１５、１７を設けることに対して代替的に又は付加的に、内側フレーム４の側壁１４、１６を箱側壁６にその上端部においてのみ固定して、この固定が側部フラップ２５、２６の行止まりをもたらすようにすることができる。
【００８２】
上記の実施形態は、素材片、具体的には厚紙素材片から折り出された容器に関するものであるが、本発明は、例えばプラスチック又は金属容器など、異なる材料の容器にも適用することもできる。これらの容器は、シート材料から形成されるものとすることも、又は、少なくともプラスチック容器の場合には、射出成形によって形成することもできる。
【００８３】
図面には示されていないが、棒状品は、具体的にはアルミ箔、金属被覆紙などから作られた内側ライナー内に含まれたものとすることができ、この内側ライナーには、棒状品の互いに対する相対運動を可能にするように破断線又は切断線が設けられる。
【００８４】
喫煙用品のうちの幾つかが容器から抜き出された後、容器は、残りの喫煙用品が重力によって持上げ手段上に配置されるような状態で保持され、持上げ機能が容器内の全ての喫煙用品に対して用いられるようになっている。
【符号の説明】
【００８５】
１：容器
２：蓋
３：箱
４：内側フレーム
５：容器の前壁
６：容器の右側壁
７：容器の後壁
８：容器の底壁
９：蓋前壁
１０：蓋右側壁
１１：蓋上壁
１２：蓋後壁
１３：内側フレームの前壁
１４、１６：内側フレームの側壁
１５、１７：内側フレームの後壁
１８：ヒンジ線
１９：棒状品
２０：接続手段
２１：蓋固定パネル
２２：中央パネル
２３：係合フラップ
２４、２７、２８、３１、３２：折曲げ線
２５、２６：側部フラップ
２９、３０：接続タブ
３３、３４：切断線
１００：持上げ方向
【図１】
2015514641.tif 000003
【図２】
2015514641.tif 000004
【図３】
2015514641.tif 000005
【図４】
2015514641.tif 000006
【図５】
2015514641.tif 000007
【図６】
2015514641.tif 000008
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
棒状品のための容器であって、
箱と蓋とを含み、前記箱は上部に開口を含み、前記容器は、前記蓋に接続されたシート状接続手段を更に含み、前記シート状接続手段は、前記箱に対して縦方向に摺動可能に配置されており、その結果、前記蓋及び前記接続手段は下方位置から上方位置まで可動であり、前記接続手段は、前記蓋が前記下方位置から前記上方位置まで移動したときに少なくとも１本の棒状品を所定距離だけ縦方向に持ち上げるようになっており、
前記接続手段が、中央パネルを含み、前記蓋が、前記中央パネルの上側からピボット回転可能にぶら下がるようになっており、
前記接続手段の前記中央パネルが、前記箱の後壁の内側に隣接して配置されていることを特徴とする容器。
【請求項２】
前記容器が、前記下方位置における前記蓋のピボット回転運動を防ぐようになっていることを特徴とする請求項１に記載の容器。
【請求項３】
前記容器が、前記下方位置においても前記上方位置においても、前記蓋を前記接続手段に対してピボット回転させることにより開放可能であることを特徴とする請求項１に記載の容器。
【請求項４】
少なくとも１つの係合フラップが、折曲げ線を介して前記中央パネルからぶら下がり、前記容器内の少なくとも１本の棒状品と係合するようになっていることを特徴とする請求項１〜請求項３のいずれかに記載の容器。
【請求項５】
前記少なくとも１つの係合フラップが、前記中央パネルの下部からぶら下がり、前記係合フラップが、少なくとも１本の棒状品と係合するようになっていることを特徴とする請求項４に記載の容器。
【請求項６】
前記係合フラップが、前記中央パネルの全幅に沿って延びていることを特徴とする請求項４〜請求項５のいずれかに記載の容器。
【請求項７】
前記中央パネルが、側部フラップを更に含み、前記側部フラップが、前記中央パネルの横方向縁部からぶら下がり、前記側部フラップが、前記箱の側壁に少なくとも部分的に平行に延びることを特徴とする請求項１〜請求項６のいずれかに記載の容器。
【請求項８】
前記箱内に内側フレームが配置され、前記接続手段及び前記内側フレームが、前記接続手段のための行止まり停止部が前記内側フレーム上に設けられるようにされたことを特徴とする請求項１〜請求項７のいずれかに記載の容器。
【請求項９】
前記箱の後壁が、実質的に長方形の凹所を含み、前記凹所が、前記接続手段と前記蓋とを接続するヒンジ線の幅に実質的に対応する幅を有することを特徴とする請求項１〜請求項８のいずれかに記載の容器。
【請求項１０】
前記箱が、前記箱の壁の内側に固定された内側フレームを含み、前記内側フレームが、前記実質的に長方形の凹所を提供することを特徴とする請求項９に記載の容器。
【国際調査報告】
2015514641.tif 000009
2015514641.tif 000010
2015514641.tif 000011